(57)【要約】【課題】装着者が用具を握ったときに滑り止め部材によって装着者が感じる違和感が小さなり、かつ大きな滑り止め効果を得ることができる手袋を提供する。【解決手段】手袋１は、親指部１１Ａ、人差し指部１１Ｂ、中指部１１Ｃ、薬指部１１Ｄおよび小指部１１Ｅと、手掌部１２と、滑り止め部材２０とを備えている。第１滑り止め部２１ａおよび第２滑り止め部２１ｂのそれぞれは、装着者が用具を握ったときに薬指部１１Ｄおよび小指部１１Ｅと対向する領域に配置されている。第１滑り止め部２１ａは、薬指部１１Ｄと小指部１１Ｅとが並ぶ方向に沿って薬指部側から小指部側に向けて延在している。第２滑り止め部２１ｂは、薬指部１１Ｄおよび小指部１１Ｅのそれぞれから第１滑り止め部２１ａよりも離れて配置されており、かつ薬指部側から小指部側に向けて第１滑り止め部２２１ａとの間隔が広がるように延在している部分を含んでいる。【選択図】図１
2018168497.tif 000002
【特許請求の範囲】
【請求項１】
装着者の手の親指、人差し指、中指、薬指および小指をそれぞれ受け入れ可能な親指部、人差し指部、中指部、薬指部および小指部と、
前記装着者の前記手の手掌を受け入れ可能な手掌部と、
前記親指部、前記人差し指部、前記中指部、前記薬指部および前記小指部ならびに前記手掌部の少なくともいずれかの表面に配置された滑り止め部材とを備え、
前記滑り止め部材は、前記手掌部の前記表面に配置された第１滑り止め部および第２滑り止め部を含み、
前記第１滑り止め部および前記第２滑り止め部のそれぞれは、前記装着者が用具を握ったときに前記薬指部および前記小指部と対向する領域に配置されており、かつ前記人差し指部および前記中指部と対向する領域に配置されておらず、
前記第１滑り止め部は、前記薬指部と前記小指部とが並ぶ方向に沿って前記薬指部側から前記小指部側に向けて延在しており、
前記第２滑り止め部は、前記薬指部および前記小指部のそれぞれから前記第１滑り止め部よりも離れて配置されており、かつ前記薬指部側から前記小指部側に向けて前記第１滑り止め部との間隔が広がるように延在している部分を含む、手袋。
【請求項２】
前記滑り止め部材は、前記薬指部における腹側の前記表面において前記薬指部の付け根から先端に向けて延在する薬指滑り止め部および前記小指部における腹側の前記表面において前記小指部の付け根から先端に向けて延在する小指滑り止め部の少なくともいずれかを含む、請求項１に記載の手袋。
【請求項３】
前記滑り止め部材は、前記親指部における腹側の前記表面において前記親指部の幅方向に延在する親指滑り止め部を含む、請求項１または２のいずれか１項に記載の手袋。
【請求項４】
前記滑り止め部材は、前記人差し指部における腹側の前記表面において前記人差し指部の付け根に配置された人差し指滑り止め部および前記中指部における腹側の前記表面において前記中指部の付け根に配置された中指滑り止め部を含む、請求項１〜３のいずれか１項に記載の手袋。
【請求項５】
前記滑り止め部材は、前記装着者が打撃具を握ってスイングしたときに前記表面に作用するせん断力の方向に対して交差する方向に延在している、請求項１〜４のいずれか１項に記載の手袋。
【請求項６】
前記滑り止め部材は、前記せん断力の方向に対向する方向に向かうにつれて高さが高くなるように構成されている、請求項５に記載の手袋。
【請求項７】
前記滑り止め部材は、前記表面の面内方向において波形に構成されている、請求項１〜６のいずれか１項に記載の手袋。
【請求項８】
前記滑り止め部材は、前記表面の面内方向において全体として波形となるように互いに間隔をあけて配置された複数の構成部分を含み、
前記構成部分は、前記薬指部の幅方向の中央および前記小指部の幅方向の中央のそれぞれには配置されていない、請求項７に記載の手袋。
【発明の詳細な説明】
【技術分野】
【０００１】
本発明は、手袋に関するものである。
【背景技術】
【０００２】
一般的に、たとえばゴルフ、野球などでは、プレーヤーはスイング時に用具を握る手が滑らないように手袋を装着する。この手袋には滑り止め部材が設けられたものがある。たとえば、登録実用新案第３０６２５７９号公報（特許文献）には、滑り止め付ゴルフ用手袋が記載されている。この滑り止め付ゴルフ用手袋では、手袋の手掌側の胴部および各指部に適時間隔をあけて斜め交差状に線状の突条が多数本一体に設けられている。
【先行技術文献】
【特許文献】
【０００３】
【特許文献１】登録実用新案第３０６２５７９号公報
【発明の概要】
【発明が解決しようとする課題】
【０００４】
手袋に設けられた滑り止め部材は、手袋を装着した装着者が用具を握った際に、装着者に違和感を与えてしまう。上記公報に記載された滑り止め付ゴルフ用手袋では、手袋の手掌側の胴部において略全体に亘って滑り止め部材が設けられている。このため、装着者が用具を握ったときに、滑り止め部材によって装着者が感じる違和感が大きくなる。
【０００５】
本発明は上記課題に鑑みてなされたものであり、その目的は、装着者が用具を握ったときに滑り止め部材によって装着者が感じる違和感が小さくなり、かつ大きな滑り止め効果を得ることができる手袋を提供することである。
【課題を解決するための手段】
【０００６】
本発明の手袋は、装着者の手の親指、人差し指、中指、薬指および小指をそれぞれ受け入れ可能な親指部、人差し指部、中指部、薬指部および小指部と、装着者の手の手掌を受け入れ可能な手掌部と、親指部、人差し指部、中指部、薬指部および小指部ならびに手掌部の少なくともいずれかの表面に配置された滑り止め部材とを備えている。滑り止め部材は、手掌部の表面に配置された第１滑り止め部および第２滑り止め部を含んでいる。第１滑り止め部および第２滑り止め部のそれぞれは、装着者が用具を握ったときに薬指部および小指部と対向する領域に配置されており、かつ人差し指部および中指部と対向する領域に配置されていない。第１滑り止め部は、薬指部と小指部とが並ぶ方向に沿って薬指部側から小指部側に向けて延在している。第２滑り止め部は、薬指部および小指部のそれぞれから第１滑り止め部よりも離れて配置されており、かつ薬指部側から小指部側に向けて第１滑り止め部との間隔が広がるように延在している部分を含んでいる。
【０００７】
本発明の手袋によれば、第１滑り止め部および第２滑り止め部のそれぞれは、装着者が用具を握ったときに薬指部および小指部と対向する領域に配置されており、かつ人差し指部および中指部と対向する領域に配置されていない。これにより、装着者が用具を握ったときに第１滑り止め部および第２滑り止め部によって装着者が感じる違和感を小さくすることができる。また、第１滑り止め部は、薬指部と小指部とが並ぶ方向に沿って薬指部側から小指部側に向けて延在している。第２滑り止め部は、薬指部および小指部のそれぞれから第１滑り止め部よりも離れて配置されており、かつ薬指部側から小指部側に向けて第１滑り止め部との間隔が広がるように延在している部分を含んでいる。このため、装着者が用具を握ってスイングしたときに手掌部の表面に作用するせん断力に垂直に第１滑り止め部および第２滑り止め部をそれぞれ配置することができる。これにより、大きな滑り止め効果を得ることができる。
【０００８】
上記の手袋において好ましくは、滑り止め部材は、薬指部における腹側の表面において薬指部の付け根から先端に向けて延在する薬指滑り止め部および小指部における腹側の表面において小指部の付け根から先端に向けて延在する小指滑り止め部の少なくともいずれかを含んでいる。このため、装着者が用具を握ってスイングしたときに薬指部および小指部の表面に作用するせん断力に垂直に薬指滑り止め部および小指滑り止め部の少なくともいずれかを配置することができる。これにより、大きな滑り止め効果を得ることができる。
【０００９】
上記の手袋において好ましくは、滑り止め部材は、親指部における腹側の表面において親指部の幅方向に延在する親指滑り止め部を含んでいる。このため、装着者が用具を握ってスイングしたときに親指部の表面に作用するせん断力に垂直に親指滑り止め部を配置することができる。これにより、大きな滑り止め効果を得ることができる。
【００１０】
上記の手袋において好ましくは、滑り止め部材は、人差し指部における腹側の表面において人差し指部の付け根に配置された人差し指滑り止め部および中指部における腹側の表面において中指部の付け根に配置された中指滑り止め部を含んでいる。このため、人差し指滑り止め部および中指滑り止め部によって滑り止め効果を向上することができる。
【００１１】
上記の手袋において好ましくは、滑り止め部材は、装着者が打撃具を握ってスイングしたときに表面に作用するせん断力の方向に対して交差する方向に延在している。このため、当該せん断力に垂直に滑り止め部材を配置することができる。
【００１２】
上記の手袋において好ましくは、滑り止め部材は、せん断力の方向に対向する方向に向かうにつれて高さが高くなるように構成されている。このため、せん断力の方向に対向して滑り止め部材の摩擦力を大きくすることができる。これにより、大きな滑り止め効果を得ることができる。
【００１３】
上記の手袋において好ましくは、滑り止め部材は、表面の面内方向において波形に構成されている。このため、装着者が用具を握ってスイングしたときに各指部および手掌部の表面に作用するせん断力に垂直に滑り止め部材を配置することが容易である。
【００１４】
上記の手袋において好ましくは、滑り止め部材は、表面の面内方向において全体として波形となるように互いに間隔をあけて配置された複数の構成部分を含んでいる。構成部分は、薬指部の幅方向の中央および小指部の幅方向の中央のそれぞれには配置されていない。薬指部および小指部のそれぞれの幅方向の中央は両側に比べて腹側に突出しているため摩擦力が高くなる。構成部分が薬指部および小指部のそれぞれの幅方向の中央に配置されていないため、装着者が感じる違和感を小さくすることができる。
【発明の効果】
【００１５】
以上説明したように、本発明によれば、装着者が用具を握ったときに滑り止め部材によって装着者が感じる違和感が小さくなり、かつ大きな滑り止め効果を得ることができる。
【図面の簡単な説明】
【００１６】
【図１】本発明の一実施の形態における手袋を手掌側から見た状態を概略的に示す斜視図である。
【図２】図１の手袋に作用するせん断力を概略的に示す図である。
【図３】図１の手袋の滑り止め部材の構成を概略的に示す拡大斜視図である。
【図４】図３のＩＶ−ＩＶ線に沿う拡大断面図である。
【図５】装着者の左手を手掌側から見た場合の左手の外観および骨格を概略的に示す模式図である。
【図６】本発明の一実施の形態の変形例１における手袋を手掌側から見た状態を概略的に示す斜視図である。
【図７】本発明の一実施の形態の変形例２における手袋を手掌側から見た状態を概略的に示す斜視図である。
【図８】本発明の一実施の形態の変形例３における手袋を手掌側から見た状態を概略的に示す斜視図である。
【図９】本発明の一実施の形態の変形例４における手袋を手掌側から見た状態を概略的に示す斜視図である。
【図１０】本発明の一実施の形態の変形例５における手袋を手掌側から見た状態を概略的に示す斜視図である。
【図１１】本発明の一実施の形態の変形例６における手袋を手掌側から見た状態を概略的に示す斜視図である。
【図１２】本発明の一実施の形態の変形例７における手袋を手掌側から見た状態を概略的に示す斜視図である。
【図１３】本発明の一実施の形態の変形例８における手袋を手掌側から見た状態を概略的に示す斜視図である。
【図１４】本発明の一実施の形態の変形例９における手袋の滑り止め部材の構成を概略的に示す拡大断面図である。
【図１５】本発明の一実施の形態の変形例１０における手袋の滑り止め部材の構成を概略的に示す拡大斜視図である。
【図１６】図１５のＸＶＩ−ＸＶＩ線に沿う拡大断面図である。
【図１７】本発明の一実施の形態の変形例１１における手袋を手掌側から見た状態を概略的に示す斜視図である。
【図１８】本発明の一実施の形態の変形例１２における手袋を手掌側から見た状態を概略的に示す斜視図である。
【図１９】実施例の実験１におけるせん断力の計測結果を示す図である。
【発明を実施するための形態】
【００１７】
以下、図面に基づいて本発明の実施の形態を説明する。なお、特に言及しない限り、以下の図面において同一または対応する部分には同一の参照符号を付し、その説明を繰り返さない。
【００１８】
図１〜図５を参照して、本発明の一実施の形態における手袋１の構成について説明する。図１および図２に示されるように、本実施の形態における手袋１は、打撃具２を把持する装着者の手に装着される手袋である。本実施の形態における手袋１としてゴルフ用手袋が例示されている。また、打撃具２としてゴルフクラブが例示されている。
【００１９】
手袋１は、装着者の一方の手を受け入れ可能に構成されている。この一方の手は、ゴルフクラブのグリップ２１の根元側に位置する。装着者は、この一方の手に手袋１をはめた状態でゴルフクラブのグリップ２１を把持する。この手袋１は、右打者用の手袋であって、右打者の左手に装着される左手用の手袋である。なお、本実施の形態における手袋１は右打者用の手袋に限定されず、左打者用の手袋であってもよい。左打者用の手袋は、右打者用の手袋とは鏡面対象となるように構成されている。また、本実施の形態における手袋１は、ゴルフ用手袋に限定されず、野球用手袋などのスポーツ用手袋であってもよい。
【００２０】
手袋１は、親指部１１Ａと、人差し指部１１Ｂと、中指部１１Ｃと、薬指部１１Ｄと、小指部１１Ｅと、手掌部１２と、滑り止め部材２０とを主に備えている。親指部１１Ａ、人差し指部１１Ｂ、中指部１１Ｃ、薬指部１１Ｄおよび小指部１１Ｅは、装着者の手の親指、人差し指、中指、薬指および小指をそれぞれ受け入れ可能に構成されている。
【００２１】
親指部１１Ａ、人差し指部１１Ｂ、中指部１１Ｃ、薬指部１１Ｄおよび小指部１１Ｅは、装着者の手の親指、人差し指、中指、薬指および小指のそれぞれの全体を収容するように構成されている。親指部１１Ａ、人差し指部１１Ｂ、中指部１１Ｃ、薬指部１１Ｄおよび小指部１１Ｅは互いに独立している。手掌部１２は、装着者の手の手掌を受け入れ可能に構成されている。親指部１１Ａ、人差し指部１１Ｂ、中指部１１Ｃ、薬指部１１Ｄ、小指部１１Ｅおよび手掌部１２の材料は、たとえば人工皮革または合成皮革である。
【００２２】
滑り止め部材２０は、親指部１１Ａ、人差し指部１１Ｂ、中指部１１Ｃ、薬指部１１Ｄおよび小指部１１Ｅならびに手掌部１２の少なくともいずれかの表面に配置されている。図１および図３に示されるように、滑り止め部材２０は、親指部１１Ａ、人差し指部１１Ｂ、中指部１１Ｃ、薬指部１１Ｄおよび小指部１１Ｅならびに手掌部１２の少なくともいずれかの表面から、表面に対して直交方向に突出するように構成されている。
【００２３】
滑り止め部材２０は、手掌部１２の表面に配置された第１滑り止め部２１ａ、第２滑り止め部２１ｂ、第３滑り止め部２１ｃおよび第４滑り止め部２１ｄを含んでいる。なお、手掌部１２の滑り止め部材２０は、４つ以上の滑り止め部を含んでいてもよい。図３においては、滑り止め部材２０の一例として、第１滑り止め部２１ａが示されている。第１滑り止め部２１ａの他の滑り止め部材２０は、第１滑り止め部２１ａと同様に構成されていてもよい。図３および図４に示されるように、本実施の形態では、第１滑り止め部２１ａの幅方向の断面は、矩形状に構成されている。また矩形状の角部が面取りされた断面形状や、矩形の上辺が凸アール状に盛り上がった断面形状でもよい。
【００２４】
図１および図２に示されるように、第１滑り止め部２１ａおよび第２滑り止め部２１ｂのそれぞれは、装着者が用具を握ったときに薬指部１１Ｄおよび小指部１１Ｅと対向する領域に配置されている。つまり、第１滑り止め部２１ａおよび第２滑り止め部２１ｂのそれぞれは、装着者が用具を握ったときに薬指部１１Ｄおよび小指部１１Ｅによって覆われる。第１滑り止め部２１ａおよび第２滑り止め部２１ｂのそれぞれは、装着者が用具を握ったときに人差し指部１１Ｂおよび中指部１１Ｃと対向する領域に配置されていない。つまり、第１滑り止め部２１ａおよび第２滑り止め部２１ｂのそれぞれは、装着者が用具を握ったときに人差し指部１１Ｂおよび中指部１１Ｃによって覆われない。
【００２５】
第１滑り止め部２１ａは、薬指部１１Ｄと小指部１１Ｅとが並ぶ方向に沿って薬指部１１Ｄ側から小指部１１Ｅ側に向けて延在している。薬指部１１Ｄと小指部１１Ｅとが並ぶ方向は、装着者が手袋を装着したときの薬指部１１Ｄと小指部１１Ｅとが並ぶ方向を意味する。具体的には、薬指部１１Ｄと小指部１１Ｅとが並ぶ方向は、装着者が手袋を装着し、人差し指部１１Ｂ、中指部１１Ｃ、薬指部１１Ｄおよび小指部１１Ｅを閉じたときの薬指部１１Ｄと小指部１１Ｅとが並ぶ方向を意味する。第１滑り止め部２１ａは、手掌部１２に配置された滑り止め部材２０のうちで最も薬指部１１Ｄおよび小指部１１Ｅの近くに配置されている。
【００２６】
第２滑り止め部２１ｂは、薬指部１１Ｄおよび小指部１１Ｅのそれぞれから第１滑り止め部２１ａよりも離れて配置されている。具体的には、第２滑り止め部２１ｂは、装着者が手袋１を装着して手を開いたとき、すなわち薬指部１１Ｄおよび小指部１１Ｅを伸ばしたときに、薬指部１１Ｄおよび小指部１１Ｅのそれぞれから第１滑り止め部２１ａよりも離れて配置されている。
【００２７】
第２滑り止め部２１ｂは、薬指部１１Ｄ側から小指部１１Ｅ側に向けて第１滑り止め部２１ａとの間隔が広がるように延在している部分を含んでいる。つまり、第１滑り止め部２１ａと第２滑り止め部２１ｂとは、薬指部１１Ｄ側から小指部１１Ｅ側に向けて互いに間隔が広がるように配置されている。薬指部１１Ｄ側の端部における第１滑り止め部２１ａと第２滑り止め部２１ｂとの間隔よりも小指部１１Ｅ側の端部における第１滑り止め部２１ａと第２滑り止め部２１ｂとの間隔が広がっている。薬指部１１Ｄ側の端部から小指部１１Ｅ側の端部に至るまでの途中で第１滑り止め部２１ａと第２滑り止め部２１ｂとの間隔が部分的に狭くなっていても小指部１１Ｅ側の端部における第１滑り止め部２１ａと第２滑り止め部２１ｂとの間隔が広がっていればよい。
【００２８】
第３滑り止め部２１ｃおよび第４滑り止め部２１ｄのそれぞれは、手掌部１２において装着者の手掌の小指球に相当する位置に配置されている。第３滑り止め部２１ｃおよび第４滑り止め部２１ｄのそれぞれは、装着者が用具を握ったときに人差し指部１１Ｂ、中指部１１Ｃ、薬指部１１Ｄおよび小指部１１Ｅと対向する領域に配置されていない。
【００２９】
第３滑り止め部２１ｃは、薬指部１１Ｄおよび小指部１１Ｅのそれぞれから第２滑り止め部２１ｂよりも離れて配置されている。第３滑り止め部２１ｃは、薬指部１１Ｄ側から小指部１１Ｅ側に向けて第２滑り止め部２１ｂとの間隔が広がるように延在している部分を含んでいる。
【００３０】
第４滑り止め部２１ｄは、薬指部１１Ｄおよび小指部１１Ｅのそれぞれから第３滑り止め部２１ｃよりも離れて配置されている。第４滑り止め部２１ｄは、薬指部１１Ｄ側から小指部１１Ｅ側に向けて第３滑り止め部２１ｃとの間隔が広がるように延在している部分を含んでいる。
【００３１】
第１滑り止め部２１ａ、第２滑り止め部２１ｂ、第３滑り止め部２１ｃおよび第４滑り止め部２１ｄのそれぞれの中心線と薬指部１１Ｄの中心線とのなす角度は、第１滑り止め部２１ａ、第２滑り止め部２１ｂ、第３滑り止め部２１ｃおよび第４滑り止め部２１ｄの順に大きくなっている。
【００３２】
第１滑り止め部２１ａ、第２滑り止め部２１ｂ、第３滑り止め部２１ｃおよび第４滑り止め部２１ｄのそれぞれの中心線は、第１滑り止め部２１ａ、第２滑り止め部２１ｂ、第３滑り止め部２１ｃおよび第４滑り止め部２１ｄのそれぞれの図心を通って長手方向に延在する中心線を意味する。
【００３３】
薬指部１１Ｄの中心線は、装着者が手袋１を装着したときの薬指部１１Ｄの中心線を意味する。具体的には、薬指部１１Ｄの中心線は、装着者が手袋１を装着し、人差し指部１１Ｂ、中指部１１Ｃ、薬指部１１Ｄおよび小指部１１Ｅを閉じたときの薬指部１１Ｄの中心線を意味する。
【００３４】
本実施の形態では、第１滑り止め部２１ａ、第２滑り止め部２１ｂ、第３滑り止め部２１ｃおよび第４滑り止め部２１ｄのそれぞれは、一方端と他方端とをつなぐ仮想の線に沿って長手方向を有している。第１滑り止め部２１ａ、第２滑り止め部２１ｂ、第３滑り止め部２１ｃおよび第４滑り止め部２１ｄのそれぞれの全長（長手方向の長さ）は、第１滑り止め部２１ａ、第２滑り止め部２１ｂ、第３滑り止め部２１ｃおよび第４滑り止め部２１ｄの順に長くなっていてもよい。
【００３５】
第１滑り止め部２１ａ、第２滑り止め部２１ｂ、第３滑り止め部２１ｃおよび第４滑り止め部２１ｄのそれぞれの太さは、それぞれ均一であってもよい。第１滑り止め部２１ａ、第２滑り止め部２１ｂ、第３滑り止め部２１ｃおよび第４滑り止め部２１ｄのそれぞれの太さは、同じであってもよい。また、第１滑り止め部２１ａ、第２滑り止め部２１ｂ、第３滑り止め部２１ｃおよび第４滑り止め部２１ｄのそれぞれの太さは、第１滑り止め部２１ａ、第２滑り止め部２１ｂ、第３滑り止め部２１ｃおよび第４滑り止め部２１ｄの順に太くなっていてもよい。
【００３６】
本実施の形態では、滑り止め部材２０は、薬指滑り止め部２２ａおよび小指滑り止め部２２ｂを備えている。薬指滑り止め部２２ａは、薬指部１１Ｄにおける腹側の表面において薬指部１１Ｄの付け根から先端に向けて延在するように構成されている。薬指滑り止め部２２ａは薬指の第１関節および第２関節に相当する位置に跨って薬指の延在する方向に延在している。小指滑り止め部２２ｂは、小指部１１Ｅにおける腹側の表面において小指部１１Ｅの付け根から先端に向けて延在するように構成されている。小指滑り止め部２２ｂは小指の第１関節および第２関節に相当する位置に跨って小指の延在する方向に延在している。なお、滑り止め部材２０は、薬指滑り止め部２２ａおよび小指滑り止め部２２ｂの少なくともいずれかを備えていればよい。
【００３７】
また、本実施の形態では、滑り止め部材２０は、親指滑り止め部２３を備えている。親指滑り止め部２３は、親指部１１Ａにおける腹側の表面において親指部１１Ａの幅方向に延在するように構成されている。複数の親指滑り止め部２３は、親指の第１関節に相当する位置を跨って親指の延在する方向に並んで配置している。本実施の形態では、複数の親指滑り止め部２３が設けられているが、親指滑り止め部２３は１つであってもよい。
【００３８】
滑り止め部材２０は、親指部１１Ａ、人差し指部１１Ｂ、中指部１１Ｃ、薬指部１１Ｄおよび小指部１１Ｅならびに手掌部１２の少なくともいずれかの表面の面内方向において波形に構成されている。つまり、第１滑り止め部２１ａ、第２滑り止め部２１ｂ、第３滑り止め部２１ｃおよび第４滑り止め部２１ｄは、手掌部１２の表面の面内方向において波形に構成されている。薬指滑り止め部２２ａ、小指滑り止め部２２ｂおよび親指滑り止め部２３のそれぞれは、薬指部１１Ｄ、小指部１１Ｅおよび親指部１１Ａのそれぞれの表面の面内において波形に構成されている。波の形状は正弦波や三角波とすることができる。
【００３９】
図２および図３に示されるように、滑り止め部材２０は、装着者が打撃具を握ってスイングしたときに薬指部１１Ｄ、小指部１１Ｅおよび手掌部１２表面に作用するせん断力の方向に対して交差する方向に延在している。つまり、滑り止め部材２０は、せん断力の方向を横切る方向に配置されている。このせん断力は、スイングしたときに遠心力によってグリップに作用する力により表面の面内に沿って作用する力である。図２では、このせん断力の方向が矢印で示されている。このせん断力の方向は、各指部および手掌部１２の全体におけるせん断力の方向を示している。この全体のせん断力は右回りとなる。なお、ここでは右打者の左手用の手袋に作用するせん断力の方向を示している。左打者の右手用の手袋であれば全体のせん断力の方向は逆向き、つまり左回りとなる。
【００４０】
図２および図５を参照して、滑り止め部材の配置について、装着者の左手１０１の骨との対応を用いて説明する。図５では、装着者の左手１０１を手掌１０１Ａ側から見た場合の左手１０１の外観および骨格が示されている。
【００４１】
図５に示されるように、人差し指１０１Ｂ２、中指１０１Ｂ３、薬指１０１Ｂ４、小指１０１Ｂ５のそれぞれにおいては、指先側から順に末節骨１１１、中節骨１１２、基節骨１１３、中手骨１１４が配列されている。末節骨１１１と中節骨１１２とは互いに遠位指節間関節１２１を介して接続されている。中節骨１１２と基節骨１１３とは近位指節間関節１２２を介して接続されている。基節骨１１３と中手骨１１４とは中手指節関節１２３を介して接続されている。中手骨１１４の基節骨１１３側の端部には膨出部１１４Ａが配置されている。親指１０１Ｂ１においては、指先側から順に末節骨１１１、基節骨１１３、中手骨１１４が配列されている。親指１０１Ｂ１においては、末節骨１１１と基節骨１１３とは第１指節間関節１２４を介して接続されており、基節骨１１３と中手骨１１４とは中手指節関節１２３を介して接続されている。
【００４２】
第１滑り止め部２１ａは手掌１０１Ａ側において薬指１０１Ｂ４の中手骨１１４の膨出部１１４Ａおよび小指１０１Ｂ５の中手骨１１４の膨出部１１４Ａに跨って配置されている。第２滑り止め部２１ｂは手掌１０１Ａ側において薬指１０１Ｂ４の中手骨１１４の中央および小指１０１Ｂ５の中手骨１１４の中央に跨って配置されている。
【００４３】
第３滑り止め部２１ｃは手掌１０１Ａ側において中指１０１Ｂ３の中手骨１１４の根元部、薬指１０１Ｂ４の中手骨１１４の根元部および小指１０１Ｂ５の中手骨１１４の根元部に跨って配置されている。第４滑り止め部２１ｄは手掌１０１Ａ側において中指１０１Ｂ３の中手骨１１４の根元部および手根骨１３０に跨って配置されている。
【００４４】
薬指滑り止め部２２ａは薬指１０１Ｂ４における末節骨１１１の根元部から中節骨１１２を介して基節骨１１３の根元部に跨って配置されている。小指滑り止め部２２ｂは小指１０１Ｂ５における末節骨１１１の根元部から中節骨１１２を介して基節骨１１３の根元部に跨って配置されている。親指滑り止め部２３は親指１０１Ｂ１における末節骨１１１の先端から基節骨１１３の根元部に跨って配置されている。
【００４５】
滑り止め部材２０は粘弾性体により構成されている。粘弾性体の材料は、たとえばシリコンなどである。粘弾性体の硬度は、たとえばＪＩＳＡ３０程度である。滑り止め部材２０の高さは、たとえば１．０ｍｍ以下であり、０．４ｍｍ〜０．６ｍｍが好ましい。また高さは各部位毎に高さを変えて摩擦力を調整することができる。滑り止め部材２０が配置された領域の全体の領域に対する占有割合は、たとえば５％以上５０％以下である。
【００４６】
上記では、親指部１１Ａ、人差し指部１１Ｂ、中指部１１Ｃ、薬指部１１Ｄおよび小指部１１Ｅが、装着者の親指、人差し指、中指、薬指および小指のそれぞれの全体を収容するように構成されている場合について説明した。しかしながら、親指部１１Ａ、人差し指部１１Ｂ、中指部１１Ｃ、薬指部１１Ｄおよび小指部１１Ｅは、装着者の親指、人差し指、中指、薬指および小指のそれぞれの少なくとも根元部を収容していればよい。
【００４７】
次に、本実施の形態における手袋１の作用効果について説明する。
本実施の形態の手袋１によれば、第１滑り止め部２１ａおよび第２滑り止め部２１ｂのそれぞれは、装着者がグリップ２１を握ったときに薬指部１１Ｄおよび小指部１１Ｅと対向する領域に配置されており、かつ人差し指部１１Ｂおよび中指部１１Ｃと対向する領域に配置されていない。これにより、装着者がグリップ２１を握ったときに第１滑り止め部２１ａおよび第２滑り止め部２１ｂによって装着者が感じる違和感を小さくすることができる。また、第１滑り止め部２１ａは、薬指部１１Ｄと小指部１１Ｅとが並ぶ方向に沿って薬指部１１Ｄ側から小指部１１Ｅ側に向けて延在している。第２滑り止め部２１ｂは、薬指部１１Ｄおよび小指部１１Ｅのそれぞれから第１滑り止め部２１ａよりも離れて配置されており、かつ薬指部１１Ｄ側から小指部１１Ｅ側に向けて第１滑り止め部２１ａとの間隔が広がるように延在している部分を含んでいる。このため、装着者がグリップ２１を握ってスイングしたときに手掌部１２の表面に作用するせん断力に垂直に第１滑り止め部２１ａおよび第２滑り止め部２１ｂをそれぞれ配置することができる。これにより、大きな滑り止め効果を得ることができる。
【００４８】
本実施の形態の手袋１においては、滑り止め部材２０は、薬指滑り止め部２２ａおよび小指滑り止め部２２ｂの少なくともいずれかを含んでいる。このため、装着者がグリップ２１を握ってスイングしたときに薬指部１１Ｄおよび小指部１１Ｅの表面に作用するせん断力に垂直に薬指滑り止め部２２ａおよび小指滑り止め部２２ｂの少なくともいずれかを配置することができる。これにより、大きな滑り止め効果を得ることができる。
【００４９】
本実施の形態の手袋１においては、滑り止め部材２０は、親指滑り止め部２３を含んでいる。このため、装着者がグリップ２１を握ってスイングしたときに親指部１１Ａの表面に作用するせん断力に垂直に親指滑り止め部２３を配置することができる。これにより、大きな滑り止め効果を得ることができる。
【００５０】
本実施の形態の手袋１においては、滑り止め部材２０は、装着者がグリップ２１を握ってスイングしたときに各指部および手掌部１２の表面に作用するせん断力の方向に対して交差する方向に延在している。このため、当該せん断力に垂直に滑り止め部材２０を配置することができる。
【００５１】
本実施の形態の手袋１においては、滑り止め部材２０は、各指部および手掌部１２の表面の面内方向において波形に構成されている。このため、装着者がグリップ２１を握ってスイングしたときに各指部および手掌部１２の表面に作用するせん断力に垂直に滑り止め部材を配置することが容易である。
【００５２】
次に、本実施の形態の各変形例について説明する。なお、特に言及しない限り、各変形例の手袋１は上記の本実施の形態の手袋１と同様の構成を備えている。
【００５３】
図６を参照して、本実施の形態の変形例１における手袋１について説明する。図６に示されるように、本実施の形態の変形例１における手袋１は、図１に示される上記の本実施の形態の手袋１に比べて、プリント部３０を備えている点で異なっている。
【００５４】
手袋１は、親指部１１Ａ、人差し指部１１Ｂ、中指部１１Ｃ、薬指部１１Ｄおよび小指部１１Ｅのそれぞれの腹ならびに手掌部１２に設けられたプリント部３０を備えている。プリント部３０は、親指部１１Ａ、人差し指部１１Ｂ、中指部１１Ｃ、薬指部１１Ｄおよび小指部１１Ｅのそれぞれの腹ならびに手掌部１２の表面から、表面に直交する方向に突出するように構成されている。滑り止め部材２０はプリント部３０に重ねられるように配置されていてもよい。また滑り止め部材２０はプリント部３０に重ならないように配置されていてもよい。プリント部３０の表面からの高さは、滑り止め部材２０の表面からの高さよりも低くなっている。
【００５５】
プリント部３０は、親指部１１Ａ、人差し指部１１Ｂ、中指部１１Ｃ、薬指部１１Ｄおよび小指部１１Ｅのそれぞれの腹ならびに手掌部１２の全面に亘って設けられている。プリント部３０は格子状に構成されている。各格子は略正方形状に構成されている。
【００５６】
本実施の形態の変形例１における手袋１においては、プリント部３０によって摩擦力を向上させることができる。これにより、さらに大きな滑り止め効果を得ることができる。
【００５７】
図７を参照して、本実施の形態の変形例２における手袋１について説明する。図７に示されるように、本実施の形態の変形例２における手袋１は、図６に示される上記の本実施の形態の変形例１における手袋１に比べて、プリント部３０の構成および滑り止め部材２０の構成が異なっている。
【００５８】
本実施の形態の変形例２における手袋１のプリント部３０は、本実施の形態の変形例１における手袋１のプリント部３０に比べて各格子が大きくなっている。たとえば、本実施の形態の変形例２における各格子の大きさは、本実施の形態の変形例１における各格子の大きさの１２０％である。このため、本実施の形態の変形例２におけるプリント部３０の量は、本実施の形態１の変形例１におけるプリント部３０の量よりも減少している。
【００５９】
滑り止め部材２０は、長手方向において太さが変化するように構成されている。滑り止め部材２０の長手方向において、滑り止め部材２０の中央部の太さは滑り止め部材２０の両端部の太さよりも太くなっている。
【００６０】
図８を参照して、本実施の形態の変形例３における手袋１について説明する。図８に示されるように、本実施の形態の変形例３における手袋１は、図６に示される上記の本実施の形態の変形例１における手袋１に比べて、滑り止め部材２０の構成が異なっている。
【００６１】
本実施の形態の変形例３における手袋１の滑り止め部材２０のうち薬指滑り止め部２２ａ、小指滑り止め部２２ｂおよび親指滑り止め部２３のそれぞれは、各表面の面内方向において全体として波形となるように互いに間隔をあけて配置された複数の構成部分２０Ｘを含んでいる。
【００６２】
構成部分２０Ｘは、薬指部１１Ｄの幅方向の中央および小指部１１Ｅの幅方向の中央のそれぞれには配置されていない。薬指部１１Ｄの幅方向は薬指部１１Ｄの延在する方向に直交する方向である。小指部１１Ｅの幅方向は小指部１１Ｅの延在する方向に直交する方向である。つまり、薬指部１１Ｄの幅方向および小指部１１Ｅの幅方向はそれぞれ薬指部１１Ｄと小指部１１Ｅとが並ぶ方向である。また、構成部分２０Ｘは、親指部１１Ａの幅方向の中央には配置されていない。親指部１１Ａの幅方向は親指部１１Ａの延在する方向に直交する方向である。
【００６３】
本実施の形態の変形例３における手袋１においては、構成部分２０Ｘは、薬指部１１Ｄの幅方向の中央および小指部１１Ｅの幅方向の中央のそれぞれには配置されていない。薬指部１１Ｄおよび小指部１１Ｅのそれぞれの幅方向の中央は両側に比べて腹側に突出しているため摩擦力が高くなる。構成部分２０Ｘが薬指部１１Ｄおよび小指部１１Ｅのそれぞれの幅方向の中央に配置されていないため、装着者が感じる違和感を小さくすることができる。また、構成部分２０Ｘが薬指部１１Ｄおよび小指部１１Ｅのそれぞれの幅方向の中央に配置されていないため、薬指部１１Ｄの幅方向および小指部１１Ｅの幅方向のそれぞれにおいて摩擦力を均一化することができる。
【００６４】
構成部分２０Ｘは、親指部１１Ａの幅方向の中央には配置されていないため、装着者が感じる違和感を小さくすることができる。また、構成部分２０Ｘが親指部１１Ａの幅方向の中央に配置されていないため、親指部１１Ａの幅方向のそれぞれにおいて摩擦力を均一化することができる。
【００６５】
図９を参照して、本実施の形態の変形例４における手袋１について説明する。図９に示されるように、本実施の形態の変形例４における手袋１は、図６に示される上記の本実施の形態の変形例１における手袋１に比べて、滑り止め部材２０の構成が異なっている。
【００６６】
本実施の形態の変形例４における手袋１の滑り止め部材２０は、装着者の手の節を外して配置されている。薬指滑り止め部２２ａは、薬指部１１Ｄにおける薬指の第１関節および第２関節に相当する位置を外して配置されている。小指滑り止め部２２ｂは、小指部１１Ｅにおける小指の第１関節および第２関節に相当する位置を外して配置されている。親指滑り止め部２３は、親指部１１Ａにおける親指の第１関節に相当する位置を外して配置されている。
【００６７】
本実施の形態の変形例４における手袋１においては、滑り止め部材２０が装着者の手の節を外して配置されているため、装着者がグリップ２１を握ったときに薬指滑り止め部２２ａ、小指滑り止め部２２ｂおよび親指滑り止め部２３によって装着者が感じる違和感を小さくすることができる。
【００６８】
図１０を参照して、本実施の形態の変形例５における手袋１について説明する。図１０に示されるように、本実施の形態の変形例５における手袋１は、図６に示される上記の本実施の形態の変形例１における手袋１に比べて、滑り止め部材２０の構成が異なっている。本実施の形態の変形例５における滑り止め部材２０の波形形状の波長は、実施の形態の変形例１における滑り止め部材２０の波形形状の波長よりも大きくなっている。
【００６９】
図１１を参照して、本実施の形態の変形例６における手袋１について説明する。図１１に示されるように、本実施の形態の変形例６における手袋１は、図６に示される上記の本実施の形態の変形例１における手袋１に比べて、滑り止め部材２０の構成が異なっている。本実施の形態の変形例６における滑り止め部材２０の波形形状の振幅は、実施の形態１の変形例１における滑り止め部材２０の波形形状の振幅よりも小さくなっている。
【００７０】
図１２を参照して、本実施の形態の変形例７における手袋１について説明する。図１２に示されるように、本実施の形態の変形例７における手袋１は、図６に示される上記の本実施の形態の変形例１における手袋１に比べて、滑り止め部材２０の構成が異なっている。本実施の形態の変形例７における滑り止め部材２０においては、第１滑り止め部２１ａ、第２滑り止め部２１ｂ、第３滑り止め部２１ｃ、第４滑り止め部２１ｄ、薬指滑り止め部２２ａ、小指滑り止め部２２ｂおよび親指滑り止め部２３のそれぞれは線状の滑り止め部分が複数並列して配置されている。図１２では当該部分が３本で１組となるように構成されている。当該部分は２本で１組となるように構成されていてもよく、４本以上で１組となるように構成されていてもよい。
【００７１】
図１３を参照して、本実施の形態の変形例８における手袋１について説明する。図１３に示されるように、本実施の形態の変形例８における手袋１は、図１２に示される上記の本実施の形態の変形例７における手袋１に比べて、滑り止め部材２０の構成が異なっている。本実施の形態の変形例８における滑り止め部材２０においては、第１滑り止め部２１ａ、第２滑り止め部２１ｂ、第３滑り止め部２１ｃ、第４滑り止め部２１ｄ、薬指滑り止め部２２ａ、小指滑り止め部２２ｂおよび親指滑り止め部２３のそれぞれにおいて、１組の３本の滑り止め部材２０は当該部分の波形形状の位相が互いにずれるように構成されている。
【００７２】
図１４を参照して、本実施の形態の変形例９における手袋１について説明する。図１４に示されるように、本実施の形態の変形例９における手袋１は、図４に示される上記の本実施の形態における手袋１に比べて、滑り止め部材２０の構成が異なっている。
【００７３】
本実施の形態の変形例９における手袋１においては、滑り止め部材２０の材料が２段に重ねられている。下段の滑り止め部材２０の幅は上段の滑り止め部材２０の幅よりも多くなるように構成されている。このため、滑り止め部材２０の材料を２回に分けて塗布することにより、２段の滑り止め部材２０を形成することができる。これにより、滑り止め部材２０の形成が容易となる。なお、滑り止め部材２０の厚みを増す場合は、たとえば４〜６回に分けて滑り止め部材２０の材料を塗布すればよい。
【００７４】
図１５および図１６を参照して、本実施の形態の変形例１０における手袋１について説明する。図１５および図１６に示されるように、本実施の形態の変形例１０における手袋１は、図３および図４に示される上記の本実施の形態における手袋１に比べて、滑り止め部材２０の構成が異なっている。本実施の形態の変形例１０における手袋１では、第１滑り止め部２１ａの幅方向の断面は、扇形状に構成されている。
【００７５】
図２および図１６に示されるように、滑り止め部材２０は、せん断力の方向に対向する方向に向かうにつれて高さが高くなるように構成されている。つまり、滑り止め部材２０は、せん断力が向かってくる側の高さが高くなるように構成されている。言い換えれば、滑り止め部材２０は、せん断力の方向に沿って高さが低くなるように構成されている。
【００７６】
本実施の形態の変形例１０における手袋１においては、滑り止め部材２０は、せん断力の方向に対向する方向に向かうにつれて高さが高くなるように構成されている。このため、せん断力の方向に対向して滑り止め部材２０の摩擦力を大きくすることができる。これにより、大きな滑り止め効果を得ることができる。
【００７７】
図１７を参照して、本実施の形態の変形例１１における手袋１について説明する。図１７に示されるように、本実施の形態の変形例１１における手袋１は、図７に示される上記の本実施の形態の変形例２における手袋１に比べて、滑り止め部材２０の構成が異なっている。
【００７８】
本実施の形態の変形例１１における手袋１においては、滑り止め部材２０は、人差し指滑り止め部２４ａおよび中指滑り止め部２４ｂを含んでいる。人差し指滑り止め部２４ａは人差し指部１１Ｂにおける腹側の表面において人差し指部１１Ｂの付け根に配置されている。人差し指部１１Ｂの付け根は人差し指部１１Ｂの根元から第２関節に至るまでの部分である。人差し指滑り止め部２４ａは人差し指の第３関節に相当する位置に配置されている。なお、人差し指滑り止め部２４ａは人差し指の第３関節から第２関節に跨って配置されていてもよい。中指滑り止め部２４ｂは中指部１１Ｃにおける腹側の表面において中指部１１Ｃの付け根に配置されている。中指部１１Ｃの付け根は中指部１１Ｃの根元から第２関節に至るまでの部分である。中指滑り止め部２４ｂは中指の第３関節に相当する位置に配置されている。なお、中指滑り止め部２４ｂは中指の第３関節から第２関節に跨って配置されていてもよい。
【００７９】
本実施の形態の変形例１１における手袋１においては、人差し指滑り止め部２４ａおよび中指滑り止め部２４ｂによって滑り止め効果を向上させることができる。
【００８０】
図１８を参照して、本実施の形態の変形例１２における手袋１について説明する。図１８に示されるように、本実施の形態の変形例１２における手袋１は、図７に示される上記の本実施の形態の変形例２における手袋１に比べて、滑り止め部材２０の構成が異なっている。
【００８１】
本実施の形態の変形例１２における手袋１においては、本実施の形態の変形例２における手袋１に比べて、手掌部１２に設けられた滑り止め部材２０の個数が多くなっている。本実施の形態の変形例１２における手袋１においては、第１滑り止め部２１ａと第２滑り止め部２１ｂとの間に第５滑り止め部２１ｅが配置されている。第２滑り止め部２１ｂと第３滑り止め部２１ｃとの間に第６滑り止め部２１ｆが配置されている。第３滑り止め部２１ｃと第４滑り止め部２１ｄとの間に第７滑り止め部２１ｇが配置されている。第４滑り止め部２１ｄに対して第７滑り止め部２１ｇと反対側に第８滑り止め部２１ｈが配置されている。第８滑り止め部２１ｈに対して第４滑り止め部２１ｄと反対側に第９滑り止め部２１ｉが配置されている。
【００８２】
第１滑り止め部２１ａ、第２滑り止め部２１ｂ、第３滑り止め部２１ｃ、第４滑り止め部２１ｄ、第５滑り止め部２１ｅ、第６滑り止め部２１ｆ、第７滑り止め部２１ｇ、第８滑り止め部２１ｈおよび第９滑り止め部２１ｉのそれぞれの中心線と薬指部１１Ｄの中心線とのなす角度は、第１滑り止め部２１ａ、第２滑り止め部２１ｂ、第３滑り止め部２１ｃ、第４滑り止め部２１ｄ、第５滑り止め部２１ｅ、第６滑り止め部２１ｆ、第７滑り止め部２１ｇ、第８滑り止め部２１ｈおよび第９滑り止め部２１ｉの順に大きくなっている。
【００８３】
薬指滑り止め部２２ａは薬指の幅方向に延在している。複数の薬指滑り止め部２２ａは、薬指の付け根から先端に相当する位置を跨って薬指の延在する方向に並んで配置している。
【００８４】
小指滑り止め部２２ｂは小指の幅方向に延在している。複数の小指滑り止め部２２ｂは、小指の付け根から先端に相当する位置を跨って小指の延在する方向に並んで配置している。
【００８５】
本実施の形態の変形例１２における手袋１においては、本実施の形態の変形例２における手袋１に比べて、親指滑り止め部２３の個数が多くなっている。
【００８６】
なお、上記の本実施の形態および各変形例は適宜組み合わせることができる。
【実施例】
【００８７】
以下、本発明の実施例について説明する。本発明による手袋を構成するにあたり、以下の実験を実施した。
【００８８】
（実験１）
スイング中に手にかかるせん断力を計測した。具体的には、１人の被験者がゴルフクラブを握ってスイングしたときに手袋とグリップの間にかかるせん断力を計測した。ゴルフクラブは、美津濃株式会社製ＪＰＸ  Ｅ３ドライバーを用いた。被験者は、右打者である。ヘッドスピードは４０．０ｍ／ｓであった。平均スイング時間は１．２４５ｓ（秒）であった。平均ダウンスイング時間は０．３３４ｓ（秒）であった。
【００８９】
計測センサは、タッチエンス株式会社製３軸触覚センサ（ＴＳＳＩ  ＯＤ１０  Ｃ１０）を用いた。定格荷重は圧力４０Ｎおよびせん断力±８Ｎとした。３軸触覚センサをＰＣ（パーソナルコンピュータ）に接続して、ＸＹＺ方向の時系列データを計測した。サンプリング時間は１／１００秒とした。ＸＹＺ方向のうちＸＹ方向の時系列データからせん断力を計測した。またＸＹＺ方向のうちＺ方向の時系列データから圧力を計測した。左手袋に３軸触覚センサを貼り付けてスイングしたときに手袋とグリップの間にかかるせん断力および圧力を計測した。データには１０Ｈｚのバターワースフィルターを適用した。せん断力および圧力は図１９に示す１６点で計測した。図１９では、各点におけるせん断力の向きおよび大きさが矢印の向きおよび大きさで示されている。
【００９０】
図１９に示されるように、ゴルフのスイングの際に必要とされる薬指および小指から手掌の小指球に向けて大きなせん断力が作用することがわかった。また、薬指および小指から手掌の小指球に向けて右回りにせん断力が作用することがわかった。さらに、親指の付け根から先端に向けて大きさなせん断力が作用することがわかった。また、人差し指および中指の付け根に小指側に向けてせん断力が作用することがわかった。
【００９１】
また、手掌の薬指および小指側の先端部において圧力が大きくなることがわかった。さらに親指の先端部において圧力が大きくなることがわかった。
【００９２】
（実験２）
本発明の実施例として、図１に示される手袋と同様の構成を備えた手袋を準備した。比較例１として、実施例とは滑り止め部材が設けられていない点で異なる手袋を準備した。つまり、比較例１の手袋は、各指部および手掌部に滑り止め部材が設けられていない。また、比較例２として、実施例とは滑り止め部材が設けられていない点およびプリント部が設けられている点で異なる手袋を準備した。つまり、比較例２の手袋は各指部および手掌部に滑り止め部材が設けられていない。さらに、比較例２の手袋は各指部の腹および手掌部の全面に亘って格子状のプリント部が設けられている。
【００９３】
５人の被験者が実施例、比較例１および比較例２のそれぞれの手袋を装着してゴルフクラブを握ってスイングしたときの滑りにくさを評価した。滑りにくさは、比較例１の手袋の滑りにくさを基準として、比較例１よりも滑りやすいか、または、滑りにくいかを評価した。具体的には、比較例１の滑りにくさを３とし、比較例１よりも滑りやすいと感じると２とし、比較例１よりも滑りにくいと感じると４とした。数値は０．５刻みで評価した。ゴルフクラブは、美津濃株式会社製ＪＰＸ  Ｅ３ドライバーを用いた。
【００９４】
【表１】
2018168497.tif 000003
【００９５】
表１を参照して、５人の被験者はいずれも実施例の手袋が比較例１および比較例２の手袋よりも滑りにくいと評価した。これにより、実施例の滑り止め部材が設けられている手袋は、比較例１の滑り止め部材が設けられていない手袋よりも滑りにくくなることがわかった。したがって、滑り止め部材により大きな滑り止め効果が得られることがわかった。また、実施例の滑り止め部材が設けられている手袋は、比較例２のプリント部が設けられている手袋よりも滑りにくくなることがわかった。したがって、滑り止め部材によりプリント部よりも大きな滑り止め効果が得られることがわかった。
【００９６】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００９７】
１  手袋、２  打撃具、１１Ａ  親指部、１１Ｂ  人差し指部、１１Ｃ  中指部、１１Ｄ  薬指部、１１Ｅ  小指部、１２  手掌部、２０  滑り止め部材、２０Ｘ  構成部分、２１  グリップ、２１ａ  第１滑り止め部、２１ｂ  第２滑り止め部、２１ｃ  第３滑り止め部、２１ｄ  第４滑り止め部、２１ｅ  第５滑り止め部、２１ｆ  第６滑り止め部、２１ｇ  第７滑り止め部、２１ｈ  第８滑り止め部、２１ｉ  第９滑り止め部、２２ａ  薬指滑り止め部、２２ｂ  小指滑り止め部、２３  親指滑り止め部、２４ａ  人差し指滑り止め部、２４ｂ  中指滑り止め部、３０  プリント部。
【図１】
2018168497.tif 000004
【図２】
2018168497.tif 000005
【図３】
2018168497.tif 000006
【図４】
2018168497.tif 000007
【図５】
2018168497.tif 000008
【図６】
2018168497.tif 000009
【図７】
2018168497.tif 000010
【図８】
2018168497.tif 000011
【図９】
2018168497.tif 000012
【図１０】
2018168497.tif 000013
【図１１】
2018168497.tif 000014
【図１２】
2018168497.tif 000015
【図１３】
2018168497.tif 000016
【図１４】
2018168497.tif 000017
【図１５】
2018168497.tif 000018
【図１６】
2018168497.tif 000019
【図１７】
2018168497.tif 000020
【図１８】
2018168497.tif 000021
【図１９】
2018168497.tif 000022